(57)【要約】【課題】運搬時や保管時に嵩張ることがなく取り扱い性の良い陳列商品ディスプレイ具を提供する。【解決手段】本陳列商品ディスプレイ具１は、商品情報を表示したディスプレイ板４を商品陳列棚に垂直に立てて商品のＰＯＰディスプレイ兼仕切りとなるように保持するものである。本陳列商品ディスプレイ具１は、商品陳列棚に載置される台板２と、台板２に対して垂直に起立可能に設けられ且つディスプレイ板４が取り付けられる立て板３とを備え、立て板３は、台板２に対して９０度範囲に回動自在に端部が軸支されて折り畳み可能に構成されている。【選択図】図３
0003182779.tif 000002
【実用新案登録請求の範囲】
【請求項１】
商品情報を表示したディスプレイ板を商品陳列棚に垂直に立てて商品のＰＯＰディスプレイ兼仕切りとなるように保持するための陳列商品ディスプレイ具であって、
商品陳列棚に載置される台板と、台板に対して垂直に起立可能に設けられ且つディスプレイ板が取り付けられる立て板とを備え、
立て板は、台板に対して９０度範囲に回動自在に端部が軸支されて折り畳み可能に構成されている折り畳み式の陳列商品ディスプレイ具。
【請求項２】
請求項１に記載の折り畳み式の陳列商品ディスプレイ具において、
立て板の軸支側端部の端面には係合凸部が設けられ、
台板の軸支側端部の平面には係合凹部が設けられ、
立て板を台板に対して９０度姿勢に起立させると係合凸部が係合凹部に嵌り込んで立て板の起立状態が固定される構成とする折り畳み式の陳列商品ディスプレイ具。
【請求項３】
請求項２に記載の折り畳み式の陳列商品ディスプレイ具において、
立て板の係合凸部は、３つ並設され、両側の２つの係合凸部が起立回動時に先行するように真ん中の係合凸部よりも台板寄りに設けられ、
台板の係合凹部は、軸支側端部の突出平面に３つ並設され、立て板が９０度姿勢に起立した状態で３つの係合凸部が嵌り込むように、突出平面において両側の２つの係合凹部が内側寄りに設けられ且つ真ん中の係合凹部が外側寄りに設けられ、
立て板の起立回動時には立て板の両側の２つの係合凸部が先行することによって台板の突出平面が外側に押し広げられるように弾性変形して係合凸部の係合凹部への嵌り込みが案内される構成とする折り畳み式の陳列商品ディスプレイ具。
【請求項４】
請求項１〜３のいずれか１項に記載の折り畳み式の陳列商品ディスプレイ具において、
立て板は、外側面においてディスプレイ板を差込み保持するための差込片が設けられ、
差込片は、立て板の外側面との間隔において奥側が広く形成されてディスプレイ板の板厚を許容する受入れ部となり且つ差込口側が狭く形成されてディスプレイ板を押圧保持する押圧部となるように湾曲形成されている折り畳み式の陳列商品ディスプレイ具。
【請求項５】
請求項１〜４のいずれか１項に記載の折り畳み式の陳列商品ディスプレイ具において、
立て板は、外側面においてディスプレイ板を差込み保持するための差込片が設けられると共に差込片の形成部に切欠きが設けられ、
差込片は、一部が切欠き内に進入する形状に形成されている折り畳み式の陳列商品ディスプレイ具。
【請求項６】
請求項１〜５のいずれか１項に記載の折り畳み式の陳列商品ディスプレイ具において、
立て板は、軸支側端部の両側に内向きに開放してディスプレイ板の差込部分の両端を受け入れる凹入部が設けられている折り畳み式の陳列商品ディスプレイ具。
【考案の詳細な説明】
【技術分野】
【０００１】
本考案は、商品情報を表示したディスプレイ板を垂直に立てて保持するための陳列商品ディスプレイ具に関する。
【背景技術】
【０００２】
スーパーマーケット、量販店、コンビニエンスストアなどの店内では、様々な商品が陳列されている。最近では、商品陳列棚において、例えば、商品の種別などのエリア毎に、商品の内容や宣伝広告などの商品情報を表示したディスプレイ板を垂直に立てて商品のＰＯＰディスプレイとともに仕切りとして使用される。
従来、このようなディスプレイ板を保持するための陳列商品ディスプレイ具として、台板に対して所定のすき間を空けた前板と背板とを垂直に立設し、前板と背板とのすき間にディスプレイ板を差し込んで保持するものがある（特許文献１）。これによれば、商品の入れ替えに応じてディスプレイ板を差し替えることができ、陳列商品ディスプレイ具を繰り返し使用することが可能であり、経済的である。
【先行技術文献】
【特許文献】
【０００３】
【特許文献１】特開２００６−７８７２８号公報
【考案の概要】
【考案が解決しようとする課題】
【０００４】
しかしながら、従来の陳列商品ディスプレイ具は、台板と前板及び背板とが一体的に形成され前板及び背板が突出しているため、運搬や保管の際に複数個の陳列商品ディスプレイ具を重ねても嵩張って大きなスペースを要するという問題があった。
【０００５】
本考案は、以上の事情に鑑みてなされたものであり、運搬時や保管時に嵩張ることがなく取り扱い性の良い陳列商品ディスプレイ具を提供することを目的とする。
【課題を解決するための手段】
【０００６】
本考案は、
商品情報を表示したディスプレイ板を商品陳列棚に垂直に立てて商品のＰＯＰディスプレイ兼仕切りとなるように保持するための陳列商品ディスプレイ具であって、
商品陳列棚に載置される台板と、台板に対して垂直に起立可能に設けられ且つディスプレイ板が取り付けられる立て板とを備え、
立て板は、台板に対して９０度範囲に回動自在に端部が軸支されて折り畳み可能に構成されている折り畳み式の陳列商品ディスプレイ具である。
これによれば、立て板を折り畳むことにより、立て板が寝た状態となって全体的に扁平な状態となる。従って、運搬や保管の際に複数個の陳列商品ディスプレイ具を嵩張らずに重ねることができ、広いスペースを必要としない。また、立て板は、台板から分離されず取り付けられた状態にあるので、運搬や保管の際に立て板が紛失する等の不都合もない。さらに、立て板を折り畳めるようにするので、立て板を高く形成することができ、これによって、ディスプレイ板の立て板への取り付け状態の安定性が増し、また、立て板自体で陳列商品の仕切りの機能を十分に発揮することができる。
【０００７】
上記折り畳み式の陳列商品ディスプレイ具において、
立て板の軸支側端部の端面には係合凸部が設けられ、
台板の軸支側端部の平面には係合凹部が設けられ、
立て板を台板に対して９０度姿勢に起立させると係合凸部が係合凹部に嵌り込んで立て板の起立状態が固定される構成とすることができる。
これによれば、立て板を折り畳み式に構成しても、立て板の起立状態が安定して保持されるから、立て板に取り付けたディスプレイ板が倒れることなく安定して垂直姿勢に保持される。従って、消費者へのディスプレイ板の表示を良好に保持することができ、また、陳列商品の仕切りとしての役目を確実に発揮することができる。
【０００８】
上記の折り畳み式の陳列商品ディスプレイ具において、
立て板の係合凸部は、３つ並設され、両側の２つの係合凸部が起立回動時に先行するように真ん中の係合凸部よりも台板寄りに設けられ、
台板の係合凹部は、軸支側端部の突出平面に３つ並設され、立て板が９０度姿勢に起立した状態で３つの係合凸部が嵌り込むように、突出平面において両側の２つの係合凹部が内側寄りに設けられ且つ真ん中の係合凹部が外側寄りに設けられ、
立て板の起立回動時には立て板の両側の２つの係合凸部が先行することによって台板の突出平面が外側に押し広げられるように弾性変形して係合凸部の係合凹部への嵌り込みが案内される構成とするのが望ましい。
これによれば、立て板の起立回動から係合凸部の係合凹部への嵌め込みが無理なく円滑に行える。また、３つの係合凸部と係合凹部の嵌合によって立て板の起立状態が安定して保持される。なお、立て板を折り畳み回動するときも立て板の両側の２つの係合凸部が係合凹部から脱出すると台板の突出平面が外側に押し広げられるので、立て板の折り畳み回動も無理なく円滑に行える。
【０００９】
上記の折り畳み式の陳列商品ディスプレイ具において、
立て板は、外側面においてディスプレイ板を差込み保持するための差込片が設けられ、
差込片は、立て板の外側面との間隔において奥側が広く形成されてディスプレイ板の板厚を許容する受入れ部となり且つ差込口側が狭く形成されてディスプレイ板を押圧保持する押圧部となるように湾曲形成されているのが望ましい。
この場合、差込片が立て板の外側面に設けられるので、差込片が湾曲形成されていても、立て板を折り畳んだときに差込片が台板との間に介在されない。従って、立て板を台板上に重ね合わせることができ、ガタツキが無く全体的に扁平な状態に折り畳むことができる。また、差込片が湾曲形成されているので、例えば、厚みのあるディスプレイ板でも差込片の受入れ部によって奥まで差し込むことができ、また、差込片の押圧部によってディスプレイ板をしっかり押圧保持することができる。従って、様々な厚みのディスプレイ板であっても立て板に安定して取り付けることができる。
【００１０】
また、上記の折り畳み式の陳列商品ディスプレイ具において、
立て板は、外側面においてディスプレイ板を差込み保持するための差込片が設けられると共に差込片の形成部に切欠きが設けられ、
差込片は、一部が切欠き内に進入する形状に形成されていることでもよい。
この場合、例えば、薄いディスプレイ板でも差込片と切欠きとの間に挟み込んでしっかり保持することができる。
【００１１】
上記の折り畳み式の陳列商品ディスプレイ具において、
立て板は、軸支側端部の両側に内向きに開放してディスプレイ板の差込部分の両端を受け入れる凹入部が設けられているのが望ましい。
これによれば、ディスプレイ板を立て板に対して正しく位置決めして取り付けることができる。
【考案の効果】
【００１２】
以上のように、本考案によれば、立て板を折り畳むことにより、運搬や保管時に複数個を重ねても嵩張らないから省スペースにまとめておくことができ、取り扱い性の良い陳列商品ディスプレイ具が得られる。
【図面の簡単な説明】
【００１３】
【図１】実施形態による折り畳み式陳列用品ディスプレイ具を示す斜視図である。
【図２】実施形態による折り畳み式陳列用品ディスプレイ具を示す斜視図である。
【図３】実施形態による折り畳み式陳列用品ディスプレイ具の折り畳んだ状態を示す斜視図である。
【図４】実施形態による折り畳み式陳列用品ディスプレイ具の折り畳んだ状態を示す平面図である。
【図５】実施形態による折り畳み式陳列用品ディスプレイ具の折り畳んだ状態を示す側面図である。
【図６】他の実施形態による折り畳み式陳列用品ディスプレイ具の断面図である。
【考案を実施するための形態】
【００１４】
以下に、本考案の実施形態について図面を参照しながら説明する。
図１、図２に示すように、実施形態による折り畳み式の陳列商品ディスプレイ具１は、断面略Ｌ型に形成されており、その構成部品としては、商品陳列棚に載置される長方形形状の台板２と、台板２に対して垂直に起立可能に取り付けられる長方形形状の立て板３とを備える。立て板３には、商品情報を表示した任意形状のディスプレイ板４が取り付けられる。このディスプレイ板４は、商品陳列棚に陳列する商品のＰＯＰディスプレイや陳列商品の仕切りとなる。なお、台板２及び立て板３は、射出成形等の成形品であるが、金属加工品などであってもよい。
【００１５】
立て板３の下部には、上方が差込口として開放した３つの差込片５が並設され、これら差込片５は、立て板３の外側面３Ａにおいて突出するように湾曲形成されている。なお、差込片５を設けた立て板３の位置には切欠き３４が設けられている。そして、ディスプレイ板４は、立て板３の外側面３Ａに沿って３つの差込片５に差し込んで取り付けられる。差込片５は、立て板３の外側面３Ａとの間隔において奥側が広く形成されてディスプレイ板４の板厚を許容する受入れ部５１となり且つ差込口側が狭く形成されてディスプレイ板４を押圧保持する押圧部５２となっている。従って、例えば、厚みのあるディスプレイ板４でも差込片５の受入れ部５１によって奥まで差し込むことができ、また、差込片５の押圧部５２によってディスプレイ板４をしっかり押圧保持することができる。よって、様々な厚みのディスプレイ板４であっても立て板３に安定して取り付けることができる。また、立て板３において、３つの差込片５の両側には、内向きに開放する凹入部３１が設けられている。この両側の凹入部３１には、ディスプレイ板４の差込部分の両端を受け入れるので、ディスプレイ板４を立て板３に対して正しく位置決めして取り付けることができる。
【００１６】
そして、本考案の特徴として、図３に示すように、立て板３は、台板２に対して９０度範囲に回動自在に軸支されて折り畳み可能に構成されている。すなわち、図４、図５を参照して、立て板３の端部の両側に軸部３２が突設され、これら軸部３２が台板２の端部に設けた軸孔２１を通して軸支されている。これにより、立て板３を折り畳むことで立て板３が寝た状態となって全体的に扁平な状態とすることができる。差込片５は、立て板３の外側面３Ａに設けられるので、差込片５が湾曲形成されていても、立て板３を折り畳んだときに差込片５が台板２との間に介在されない。従って、図５に示すように、折り畳み時に立て板３を台板２上にぴったり重ね合わせることができ、ガタツキが無く全体的に扁平な状態に折り畳むことができる。
【００１７】
このように、本実施形態の折り畳み式の陳列商品ディスプレイ具１によれば、立て板３を折り畳むことにより、運搬や保管時に複数個を重ねても嵩張らないから省スペースにまとめておくことができ、取り扱い易いものが得られる。また、立て板３は、台板２から分離されず取り付けられた状態にあるので、運搬や保管の際に立て板３が紛失する等の不都合もない。さらに、立て板３をこのように折り畳めるようにすることで、立て板３を高く形成することができる（例えば、図１参照）。本実施形態では、図３や図５からも明らかなように、立て板３は、台板２と略等しい大きさに形成している。これにより、ディスプレイ板４の立て板３への取り付け状態の安定性が増し、また、立て板３自体で商品陳列棚における商品間の仕切りの機能を十分に発揮することができる。
【００１８】
また、陳列商品ディスプレイ具１において、立て板３の軸支側端部の端面３３には３つの係合凸部６ａ，６ｂ，６ｃが並設され、台板２の軸支側端部に矩形状に突設した突出平面２２には３つの係合凹部７ａ，７ｂ，７ｃが並設されており、立て板３を台板２に対して９０度姿勢に起立させると３つの係合凸部６ａ，６ｂ，６が３つの係合凹部７ａ，７ｂ，７ｃに嵌り込んで立て板３の垂直な起立状態が固定される構成となっている（図２参照）。従って、立て板３を折り畳み式に構成しても、立て板３の垂直起立状態が安定して保持されるから、立て板３に取り付けたディスプレイ板４が倒れることなく安定して垂直姿勢に保持される。その結果、消費者へのディスプレイ板４の表示を良好に保持することができ、また、陳列商品の仕切りとしての役目を確実に発揮することができる。なお、本実施形態では、３つの係合凹部７ａ，７ｂ，７ｃは、突出平面２２を貫通する孔部とするが、突出平面２２を貫通しない凹部でもよい。
【００１９】
また、立て板３の３つの係合凸部６ａ，６ｂ，６ｃのうち、両側の２つの係合凸部６ａ，６ｃが立て板３の起立回動時に先行するように真ん中の係合凸部６ｂよりも台板２寄りに設けられている。台板２の３つの係合凹部７ａ，７ｂ，７ｃは、立て板３が９０度姿勢に起立した状態で３つの係合凸部６ａ，６ｂ，６ｃが嵌り込むように、突出平面２２において両側の２つの係合凹部７ａ，７ｃが内側寄りに設けられ且つ真ん中の係合凹部７ｂが外側寄りに設けられている。そして、立て板３の起立回動時には立て板３の両側の２つの係合凸部６ａ，６ｃが先行することによって台板２の突出平面２２が外側に押し広げられるように弾性変形して係合凸部６ａ，６ｂ，６ｃの係合凹部７ａ，７ｂ，７ｃへの嵌り込みが案内される構成となっている。従って、立て板３の起立回動から係合凸部６ａ，６ｂ，６ｃの係合凹部７ａ，７ｂ，７ｃへの嵌め込みが無理なく円滑に行える。また、３つの係合凸部６ａ，６ｂ，６ｃと係合凹部７ａ，７ｂ，７ｃの嵌合によって立て板３の起立状態が安定して保持される。また、３つの係合凸部６ａ，６ｂ，６ｃは、真ん中の係合凸部６ｂが横長であり、両側２つの係合凸部６ａ，６ｃがそれより短く形成されているので、立て板３の回動時に両側２つの係合凸部６ａ，６ｃによる摺動抵抗が小さく回動操作を円滑に行え、且つ係合凹部７ａ，７ｂ，７ｃへの嵌合を比較的強固にすることができる。なお、立て板３を折り畳み回動するときも立て板３の両側の２つの係合凸部６ａ，６ｃが係合凹部７ａ，７ｃから脱出すると台板２の突出平面２２が外側に押し広げられるので、立て板３の折り畳み回動も無理なく円滑に行える。
【００２０】
なお、本考案は、上記実施形態のみに限定されるものでなく、本考案の要旨の範囲内で変更することができる。
例えば、図６に示すように、立て板３には、差込片５の形成部に切欠き３４が設けられ、差込片５は、その一部（押圧部５２）が切欠き３４内に進入する形状に形成されてもよい。この場合、例えば、薄いディスプレイ板４でも差込片５と切欠き３４との間に挟み込んでしっかり保持することができる。
また、台板２において、端部の両側に立て板３の軸部３２を軸支している軸孔が垂直方向に延びた長孔状の軸孔とされ、立て板３の起立回動時には立て板３の軸部３２が長孔状軸孔を移動して立て板３の係合凸部６が台板２の係合凹部７に嵌り込んで立て板３の垂直起立状態が固定されるように構成してもよい。
また、係合凸部６及び係合凹部７は、３つずつに限らず１つずつでもよいし、また、３つ以外の複数個であってもよい。
【符号の説明】
【００２１】
１  陳列商品ディスプレイ具
２  台板
３  立て板
３Ａ  外側面
４  ディスプレイ板
５  差込片
６  係合凸部
７  係合凹部
２１  軸孔
２２  突出平面
３１  凹入部
３２  軸部
３３  端面
３４  切欠き
５１  受入れ部
５２  押圧部
【図１】
0003182779.tif 000003
【図２】
0003182779.tif 000004
【図３】
0003182779.tif 000005
【図４】
0003182779.tif 000006
【図５】
0003182779.tif 000007
【図６】
0003182779.tif 000008